【手続補正書】
【提出日】平成20年7月25日(2008.7.25)
【手続補正１】
【補正対象書類名】明細書
【補正対象項目名】特許請求の範囲
【補正方法】変更
【補正の内容】
【特許請求の範囲】
【請求項１】
多機能のイソシアネート、ポリオール、及び任意に鎖伸長剤を反応させる工程を備えたポリウレタンの製造方法であって、
イソシアネート、ポリオール、鎖伸長剤、これらの混合物、及びこれらから形成されたプレポリマーから選択された少なくとも２つの試薬を、所定の化学量論比及び温度履歴を有するポリウレタンを形成するために、反応押出成形する前に激しく混合することを特徴とする方法。
【請求項２】
請求項１記載の方法において、
ポリオール又は鎖伸長剤の少なくとも一部を、激しく混合する前にイソシアネートと反応させることを特徴とする方法。
【請求項３】
請求項１記載の方法において、
イソシアネートの少なくとも一部を、激しく混合する前にポリオール又は鎖伸長剤と反応させることを特徴とする方法。
【請求項４】
請求項１から３のいずれか一項に記載の方法において、
鎖伸長剤の少なくとも一部を、激しく混合する前にポリオールと反応させることを特徴とする方法。
【請求項５】
請求項１から４のいずれか一項に記載の方法において、
前記少なくとも２つの試薬を、反応射出技術を用いて激しく混合することを特徴とする方法。
【請求項６】
請求項５記載の方法において、
前記少なくとも２つの試薬を、混合ヘッド内で激しく混合することを特徴とする方法。
【請求項７】
請求項５又は６記載の方法において、
前記少なくとも２つの試薬を、圧力下で混合ヘッドへ搬送することを特徴とする方法。
【請求項８】
請求項７記載の方法において、
前記少なくとも２つの試薬のそれぞれを、インジェクションランスを用いて混合ヘッドへ搬送することを特徴とする方法。
【請求項９】
請求項１から４のいずれか一項に記載の方法において、
前記少なくとも２つの試薬を、斜板式ポンプ又はギアポンプを用いて激しく混合することを特徴とする方法。
【請求項１０】
請求項１から９のいずれか一項に記載の方法において、
前記反応を触媒なしに行うことを特徴とする方法。
【請求項１１】
請求項１から１０のいずれか一項に記載の方法において、
前記激しく混合することを、実質的に即座に行うことを特徴とする方法。
【請求項１２】
請求項１から１１のいずれか一項に記載の方法において、
結果混合物は、混合の直後実質的に均質であることを特徴とする方法。
【請求項１３】
請求項１から１２のいずれか一項に記載の方法において、
激しく混合されるべき前記少なくとも２つの試薬の相対量を、所定の組成、モル質量、又は連鎖分布を有するポリウレタンを形成するように、反応進行中に変更することを特徴とする方法。
【請求項１４】
請求項１から１３のいずれか一項に記載の方法において、
結果混合物を、押出機に直接供給することを特徴とする方法。
【請求項１５】
請求項１から１４のいずれか一項に記載の方法において、
結果混合物を、流量計、密度計、分光光度計、又はこれらの組合せを介して押出機に供給することを特徴とする方法。
【請求項１６】
請求項１４又は１５記載の方法において、
結果混合物を、０．０１〜２５ｋｇ／ｓ、好ましくは０．１〜１０ｋｇ／ｓ、最も好ましくは１〜５ｋｇ／ｓの速度で押出機に供給することを特徴とする方法。
【請求項１７】
請求項１から１６のいずれか一項に記載の方法において、
混合物は、前記反応押出ステップの間、温度プロファイルを経ることを特徴とする方法。
【請求項１８】
請求項１から１７のいずれか一項に記載の方法において、
混合物を、前記反応押出ステップの間、鎖伸長剤と反応させることを特徴とする方法。
【請求項１９】
請求項１から１８のいずれか一項に記載の方法において、
混合物を、反応押出ステップの間、少なくとも一つの他のポリマーと混合することを特徴とする方法。
【請求項２０】
請求項１から１９のいずれか一項に記載の方法において、
結果として得られるポリマーの物理的又は化学的特性を変更するために、混合物を、反応押出ステップの間、改質剤と反応させる又は改質剤で処理することを特徴とする方法。
【請求項２１】
請求項１４から２０のいずれか一項に記載の方法において、
前記少なくとも２つの試薬の混合速度、結果混合物が押出機に供給される速度、及び押出機内のポリマーの滞留時間及び温度を、好ましくはコンピュータ手段により、自動的に制御することを特徴とする方法。
【請求項２２】
請求項１から２１のいずれか一項に記載の方法において、
反応化学量論は、０．０１〜２％以内、好ましくは０．０５〜１％以内、最も好ましくは０．１〜０．２％以内に制御し得ることを特徴とする方法。
【請求項２３】
請求項１から２２のいずれか一項に記載の方法において、
結果として得られたポリウレタンの温度履歴は、０．０１〜２℃以内、好ましくは０．０５〜１℃以内、最も好ましくは０．１〜０．５％以内に制御し得ることを特徴とする方法。
【請求項２４】
請求項１から２３のいずれか一項に記載の方法において、
前記ポリウレタンを、反応押出の後、モールドに直接供給することを特徴とする方法。
【請求項２５】
請求項１から２４のいずれか一項に記載の水性ポリウレタンの製造方法であって、
前記ポリウレタンを、反応押出の後、水に分散させることを特徴とする方法。
【請求項２６】
請求項１から２５のいずれか一項に記載の方法によって獲得された、又は獲得し得るポリウレタン。
【請求項２７】
ポリウレタンの製造装置であって、
イソシアネート、ポリオール、鎖伸長剤、これらの混合物、及びこれらから形成されたプレポリマーから選択された少なくとも２つの試薬を量的に調合する搬送システムと、
前記少なくとも２つの試薬を激しく混合するための混合手段と、
反応押出手段と、
を備えることを特徴とする装置。
【請求項２８】
請求項２７記載の装置において、
前記搬送システムは、一つ又は複数のインジェクションランスを備えることを特徴とする装置。
【請求項２９】
請求項２７又は２８記載の装置において、
前記インジェクションランスは、リニア・トランスデューサを用いて制御することを特徴とする装置。
【請求項３０】
請求項２７から２９のいずれか一項に記載の装置において、
前記混合手段は、混合ヘッドを含むことを特徴とする装置。
【請求項３１】
請求項２７から２９のいずれか一項に記載の装置において、
前記混合手段は、斜板式ポンプ又はギアポンプを含むことを特徴とする装置。
【請求項３２】
請求項２７から３１のいずれか一項に記載の装置において、
前記混合手段は、反応押出手段に直接連結されていることを特徴とする装置。
【請求項３３】
請求項２７から３１のいずれか一項に記載の装置において、
前記混合手段は、反応チャンバを介して反応押出手段に連結されていることを特徴とする装置。
【請求項３４】
請求項２４から３３のいずれか一項に記載の装置において、
前記反応押出手段は、完全混合槽型反応器を備えることを特徴とする装置。
【請求項３５】
請求項３４記載の装置において、
前記反応押出手段は、前記完全混合槽型反応器と連続する押出機をさらに備えることを特徴とする装置。
【請求項３６】
請求項２３から３５のいずれか一項に記載の装置において、
前記反応押出手段は少なくとも一つの熱電対を備え、該熱電対の直近における前記混合物の温度をモニターすることを特徴とする装置。
【請求項３７】
請求項２３から３６のいずれか一項に記載の装置において、
前記反応押出手段は温度調整手段を備え、該温度調整手段に隣接する領域における前記混合物の温度を制御することを特徴とする装置。
【請求項３８】
請求項２３から３７のいずれか一項に記載の装置において、
前記混合物の物理的又は化学的特性を測定するための測定手段をさらに備えることを特徴とする装置。
【請求項３９】
請求項３８記載の装置において、
前記測定手段は、流量計、密度計、分光光度計、又はこれらの組合せを備えることを特徴とする装置。
【請求項４０】
請求項３８又は３９記載の装置において、
前記測定手段は、前記混合手段と前記反応押出手段との間に配置されていることを特徴とする装置。
【請求項４１】
請求項２２から４０のいずれか一項に記載の装置において、
第１制御信号に応答して、搬送手段により前記少なくとも２つの試薬が投与される速度を制御する手段と、
第２制御信号に応答して、結果混合物が前記反応押出手段に供給される速度を制御する手段と、
第３制御信号に応答して、前記反応押出手段におけるポリウレタン混合物の温度を制御する手段と、
反応押出の間ポリウレタン混合物の特性を検出し、かつ検出信号を生成するよう適合される手段と、
前記検出信号に応答して前記第１、第２及び第３制御信号を生成するよう適合されたプロセッサと、
をさらに備えることを特徴とする装置。
【請求項４２】
請求項４１記載の装置において、
前記制御手段及び前記検出手段は、プログラム可能な手段であることを特徴とする装置。
【請求項４３】
コンピュータ上で作動するときに、請求項２７から４２のいずれか一項に記載の装置に、請求項１から２６のいずれか一項に記載の方法を実施させるコンピュータプログラム。